(57)【特許請求の範囲】
【請求項１】
所定の第１の撮影方向から放射線を照射するステップと、
放射線を電荷に変換する変換層と、変換された電荷を収集する複数の画素電極とを有する放射線検出器で、前記第１の撮影方向から照射された放射線を検出するステップと、
前記第１の撮影方向とは異なる第２の撮影方向から放射線を照射するステップと、
前記第２の撮影方向から照射された放射線を前記放射線検出器で検出するステップとを有する放射線画像撮影方法であって、
前記第１または前記第２の撮影方向の少なくとも一方が、前記放射線検出器の検出面に直交する方向に対して所定の角度をなすように制御するステップをさらに有し、
前記変換層の厚さｄと、前記画素のサイズｐと、前記所定の角度θとが、次式（１）を満たすものであることを特徴とする放射線画像撮影方法。
ｄ・ｔａｎθ＜ｋ・ｐ      （ｋは１以下の定数）      （１）
【請求項２】
互いに異なる２つの撮影方向から放射線を照射可能な放射線源から照射された放射線を電荷に変換する変換層と、変換された電荷を収集する複数の画素電極とを有し、前記照射された放射線を検出する放射線検出器であって、
前記２つの撮影方向の少なくとも一方の撮影方向が、前記放射線検出器の検出面に直交する方向に対して所定の角度をなす場合に、前記変換層の厚さｄと、前記画素のサイズｐと、前記所定の角度θとが、次式を満たすものであることを特徴とする放射線検出器。
ｄ・ｔａｎθ＜ｋ・ｐ      （ｋは１以下の定数）      （１）
【請求項３】
前記ｋは０．５以下の定数であることを特徴とする請求項２記載の放射線検出器。
【請求項４】
互いに異なる２つの撮影方向から放射線を照射可能な放射線源と、
請求項２または３記載の放射線検出器とを備えたことを特徴とする放射線画像撮影装置。
【請求項５】
前記放射線画像撮影装置は、
前記変換層の厚さｄおよび／または前記画素のサイズｐの異なる複数の前記放射線検出器を選択的に装着可能な機構と、
前記所定の角度θの設定を受け付ける撮影角度設定手段と、
該設定された前記所定の角度θにおいて前記式（１）を満たす前記放射線検出器を特定する適合検出器特定手段とをさらに備えたことを特徴とする請求項４記載の放射線画像撮影装置。
【請求項６】
前記放射線画像撮影装置は、前記変換層の厚さｄおよび／または前記画素のサイズｐの異なる複数の前記放射線検出器を選択的に装着可能な機構と、
前記装着された放射線検出器を特定する検出器特定手段と、
該特定された前記放射線検出器において前記式（１）を満たす前記所定の角度θを決定する適合撮影角度決定手段とをさらに備えたことを特徴とする請求項４または５記載の放射線画像撮影装置。
【発明の詳細な説明】
【技術分野】
【０００１】
本発明は、両眼視差を用いた立体視を行うための左右両目用の放射線画像を生成する技術に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて生成される。
【０００３】
そして、このような立体視画像の生成は、デジタルカメラやテレビなどの分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる（例えば特許文献１参照）。
【先行技術文献】
【特許文献】
【０００４】
【特許文献１】特開２０１０−１１０５７１号公報
【発明の概要】
【発明が解決しようとする課題】
【０００５】
ところで、上記のようなステレオ画像を取得する放射線画像撮影装置では、複数の撮影方向のうちの少なくとも1つの撮影方向が、放射線検出器の検出面に直交する方向に対して４°から１５°程度の角度をなすように設定され得る。このように放射線検出器に対して斜め方向から放射線が入射する場合、図８に模式的に表したように、放射線を電荷に変換する変換層１０１の上面付近の点Ａで生じた電荷は画素電極１０２ｂに収集される。一方、変換層１０１の下面付近の点Ｂで生じた電荷は、撮影角度によっては、画素電極１０２ｂではなく、近接する画素電極１０２ａに収集されてしまうことが起こり得る。この場合、放射線の被検体中での透過・吸収によって得られる被検体の特定の位置の放射線画像情報が、複数の画素にまたがって記録されてしまうので、生成された放射線画像上ではボケが生じてしまうことになる。
【０００６】
本発明は、上記の事情に鑑みてなされたものであり、放射線検出器に対して斜め方向から照射された放射線が放射線検出器内の複数の画素にまたがって検出されることに起因する放射線画像のボケを軽減する放射線画像撮影方法、並びに、放射線検出器および放射線画像撮影装置を提供することを目的とする。
【課題を解決するための手段】
【０００７】
本発明の放射線撮影方法は、所定の第１の撮影方向から放射線を照射するステップと、放射線を電荷に変換する変換層と、変換された電荷を収集する複数の画素電極とを有する放射線検出器で、前記第１の撮影方向から照射された放射線を検出するステップと、前記第１の撮影方向とは異なる第２の撮影方向から放射線を照射するステップと、前記第２の撮影方向から照射された放射線を前記放射線検出器で検出するステップとを有する放射線画像撮影方法であって、前記第１または前記第２の撮影方向の少なくとも一方が、前記放射線検出器の検出面に直交する方向に対して所定の角度をなすように制御するステップをさらに有し、前記変換層の厚さｄと、前記画素のサイズｐと、前記所定の角度θとが、次式（１）を満たすものであることを特徴とする。  
ｄ・ｔａｎθ＜ｋ・ｐ            （１）
【０００８】
本発明の放射線検出器は、互いに異なる２つの撮影方向から放射線を照射可能な放射線源から照射された放射線を電荷に変換する変換層と、変換された電荷を収集する複数の画素電極とを有し、前記照射された放射線を検出する放射線検出器であって、前記２つの撮影方向の少なくとも一方の撮影方向が、前記放射線検出器の検出面に直交する方向に対して所定の角度をなす場合に、前記変換層の厚さｄと、前記画素のサイズｐと、前記所定の角度θとが、前記式（１）を満たすものであることを特徴とする。  
ｄ・ｔａｎθ＜ｋ・ｐ            （１）
【０００９】
ここで、ｋは１以下の定数であり、０．５以下であることが好ましい。
【００１０】
本発明の放射線画像撮影装置は、互いに異なる２つの撮影方向から放射線を照射可能な放射線源と、上記放射線検出器とを備えたことを特徴とする。
【００１１】
また、上記放射線画像撮影装置に、前記変換層の厚さｄおよび／または前記画素のサイズｐの異なる複数の前記放射線検出器を選択的に装着可能な機構と、前記所定の角度θの設定を受け付ける撮影角度設定手段と、該設定された前記所定の角度θにおいて前記式（１）を満たす前記放射線検出器を特定する適合検出器特定手段とをさらに設けてもよい。
【００１２】
また、上記放射線画像撮影装置に、前記変換層の厚さｄおよび／または前記画素のサイズｐの異なる複数の前記放射線検出器を選択的に装着可能な機構と、前記装着された放射線検出器を特定する検出器特定手段と、該特定された前記放射線検出器において前記式（１）を満たす前記所定の角度θを決定する適合撮影角度決定手段とをさらに設けてもよい。
【発明の効果】
【００１３】
本発明によれば、互いに異なる２つの撮影方向から照射された放射線を放射線検出器で検出する際に、２つの撮影方向の少なくとも一方が、放射線検出器の検出面に直交する方向に対して所定の角度θをなし、放射線検出器の変換層の厚さｄと、画素のサイズｐとは、次式（１）を満たすようになる（ｋは１以下の定数）。  
ｄ・ｔａｎθ＜ｋ・ｐ            （１）
【００１４】
これにより、図１に模式的に表した典型例では、放射線検出器に対して斜め方向から照射された放射線によって、放射線検出器の変換層１０１の上面付近の点Ａで生じた電荷も、下面付近の点Ｂで生じた電荷も、同じ画素電極１０２ｂに収集されるようになる。したがって、放射線検出器に対して斜め方向から照射された放射線が放射線検出器内の複数の画素にまたがって検出されることに起因する放射線画像のボケが軽減され、放射線画像の立体視表示の品質が向上する。
【図面の簡単な説明】
【００１５】
【図１】本発明の放射線検出器の変換層の厚さと画素のサイズと放射線の入射角度との関係を模式的に表した図
【図２】本発明の実施形態となるステレオ乳房画像撮影表示システムの概略構成図
【図３】図２に示すステレオ乳房画像撮影表示システムのアーム部を図２の右方向から見た図
【図４】図２に示すステレオ乳房画像撮影表示システムのコンピュータ内部の概略構成を示すブロック図
【図５】本発明の第２の実施形態に特有の構成を表すブロック図
【図６】検出器情報テーブルの一例を表す図
【図７】本発明の第３の実施形態に特有の構成を表すブロック図
【図８】従来の放射線検出器の変換層の厚さと画素のサイズと放射線の入射角度との関係を模式的に表した図
【発明を実施するための形態】
【００１６】
以下、図面を参照して本発明の実施形態となるステレオ乳房画像撮影表示システムについて説明する。まず、本発明の第１から第３の実施形態の乳房画像撮影表示システムに共通の概略構成および作用について説明した後、本発明の各実施形態の特徴的部分について説明する。
【００１７】
図２は乳房画像撮影表示システムの概略構成を示す図、図３は図２に示すステレオ乳房画像撮影表示システムのアーム部を図２の右方向から見た図、図４は図２に示すステレオ乳房画像撮影表示システムのコンピュータ内部の概略構成を示すブロック図である。
【００１８】
本実施形態の乳房画像撮影表示システム１は、図２に示すように、乳房画像撮影装置１０と、乳房画像撮影装置１０に接続されたコンピュータ８と、コンピュータ８に接続されたモニタ９および入力部７とを備えている。
【００１９】
そして、乳房画像撮影装置１０は、図２に示すように、基台１１と、基台１１に対し上下方向（Ｚ方向）に移動可能であり、かつ回転可能な回転軸１２と、回転軸１２により基台１１と連結されたアーム部１３を備えている。なお、図３には、図２の右方向から見たアーム部１３を示している。
【００２０】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２１】
撮影台１４の内部には、フラットパネルディテクタ等の放射線画像検出器１５と、放射線画像検出器１５からの電荷信号の読み出しを制御する検出器コントローラ３３が備えられている。また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００２２】
また、撮影台１４はアーム部１３に対し回転可能に構成されており、基台１１に対してアーム部１３が回転したときでも、撮影台１４の向きは基台１１に対し固定された向きとすることができる。
【００２３】
放射線画像検出器１５は、放射線を電荷に変換する変換層と、変換された電荷を収集する複数の画素電極とを有し、放射線画像の記録と読出しを繰り返して行うことができるものである。放射線の照射を直接受けて電荷を発生する、いわゆる直接変換型の放射線画像検出器を用いてもよいし、放射線を一旦可視光に変換し、その可視光を電荷信号に変換する、いわゆる間接変換型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。放射線画像検出器１５から出力された放射線画像信号はＡＤ変換されて放射線画像データとされる。なお、本発明の実施形態に特有の部分については後述する。
【００２４】
放射線照射部１６の中には放射線源１７と、放射線源コントローラ３２が収納されている。放射線源コントローラ３２は、放射線源１７から放射線を照射するタイミングと、放射線源１７における放射線発生条件（管電圧、管電流、時間、管電流時間積等）を制御するものである。
【００２５】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００２６】
コンピュータ８は、中央処理装置（ＣＰＵ）および半導体メモリやハードディスクやＳＳＤ等のストレージデバイスなどを備えており、これらのハードウェアによって、図４に示すような制御部８ａ、放射線画像記憶部８ｂおよび画像処理部８ｃが構成されている。
【００２７】
制御部８ａは、各種のコントローラ３１〜３４に対して所定の制御信号を出力し、システム全体の制御を行うものである。具体的な制御方法については後で詳述する。放射線画像記憶部８ｂは、放射線画像検出器１５によって取得された撮影角度毎の放射線画像データを記憶するものである。画像処理部８ｃは、放射線画像データに対して種々の画像処理を施すためのものである。
【００２８】
入力部７は、たとえば、キーボードやマウスなどのポインティングデバイスから構成されるものであり、撮影者による撮影条件などの入力や操作指示の入力なども受け付けるものである。
【００２９】
モニタ９は、コンピュータ８から出力された２つの放射線画像データを用いて、撮影方向毎の放射線画像をそれぞれ２次元画像として表示することにより、ステレオ画像を表示するように構成されたものである。
【００３０】
ステレオ画像を表示する構成としては、たとえば、２つの画面を用いて２つの放射線画像データに基づく放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。
【００３１】
または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００３２】
また、ステレオ画像を表示する装置と２次元画像を表示する装置とは別個に構成するようにしてもよいし、同じ画面上で表示できる場合には同じ装置として構成するようにしてもよい。
【００３３】
次に、各実施形態の乳房画像撮影表示システムに共通の作用について説明する。
【００３４】
最初に撮影台１４の上に乳房Ｍが設置され、圧迫板１８により乳房Ｍが所定の圧力によって圧迫される。
【００３５】
次に、入力部７において、撮影条件が入力される。本実施形態では、撮影角度や放射線量などの詳細な撮影条件が、撮影モード毎にコンピュータ８のメモリに記憶されており、入力部７において撮影モードが選択されると、選択された撮影モードに対応する撮影条件がメモリから読み出される。本実施形態では、撮影モードとして、通常モードとステレオ撮影モードが用意されており、以下、ステレオ撮影モードが選択された場合について説明する。ステレオ撮影モードでは、撮影角度θの異なる２回の撮影が行われ、異なる撮影方向がなす角度（以下、輻輳角θ’という）を有する２つの放射線画像データが得られる。入力部７では、撮影モードが入力された後、撮影開始の指示が入力される。
【００３６】
そして、入力部７において撮影開始の指示があると、乳房Ｍのステレオ画像の撮影が行われる。具体的には、まず、制御部８ａが、輻輳角θ’を構成する撮影角度θの情報をアームコントローラ３１に出力する。なお、本実施の形態においては、撮影枚数を減らすべく２次元観察用の画像と立体視表示するための一方の画像とを兼ねるようにするため、撮影角度θの組み合わせとしてθ＝０°とθ＝４°の組み合わせが予めメモリに記憶されている。これにより、輻輳角θ’＝４°を有する２つの放射線画像データが得られる。また、撮影角度θ＝０°で得られた放射線画像データは、２次元観察と立体視表示の両方に用いられる。
【００３７】
アームコントローラ３１において、制御部８ａから出力された撮影角度θの情報が受け付けられ、アームコントローラ３１は、この撮影角度θの情報に基づいて、アーム部１３を検出面１５ａに垂直な方向に対して４°傾く撮影角度θとなる制御信号を出力する。
【００３８】
アームコントローラ３１から出力された制御信号に応じてアーム部１３が４°回転する。続いて制御部８ａは、放射線源コントローラ３２に対して撮影条件に応じた量の放射線の照射を行うよう制御信号を出力するとともに、検出器コントローラ３３に対して放射線画像の読出しを行うよう制御信号を出力する。この制御信号に応じて、放射線源１７から撮影条件に応じた量の放射線が照射され、乳房Ｍを撮影角度θが４°の方向から撮影した放射線画像が放射線画像検出器１５によって検出され、検出器コントローラ３３によって放射線画像データが読み出される。そして、画像処理部８ｃが所定の処理を行った後、処理済みの放射線画像データが放射線画像記憶部８ｂに記憶される。
【００３９】
続いて、アームコントローラ３１は、アーム部１３が撮影台１４に垂直な方向となるよう制御信号を出力する。すなわち、本実施形態においては、アーム部１３を検出面１５ａに垂直な方向とする撮影角度θが０°となる制御信号を出力する。
【００４０】
アームコントローラ３１から出力された制御信号に応じてアーム部１３が検出面１５ａに対して垂直な方向となる。続いて制御部８ａは、放射線源コントローラ３２に対して撮影条件に応じた量の放射線の照射を行うよう制御信号を出力するとともに、検出器コントローラ３３に対して放射線画像の読出しを行うよう制御信号を出力する。この制御信号に応じて、放射線源１７から撮影条件に応じた量の放射線が照射され、乳房Ｍを撮影角度θが０°の方向から撮影した放射線画像が放射線画像検出器１５によって検出される。撮影が終了すると圧迫板１８を移動させて乳房Ｍの圧迫を解除するとともに、検出器コントローラ３３によって放射線画像データが読み出され、画像処理部８ｃで所定の画像処理が行われた後、放射線画像記憶部８ｂに記憶される。
【００４１】
そして、ユーザからステレオ画像表示が要求された際には、コンピュータ８の放射線画像記憶部８ｂに記憶された２つの放射線画像データが放射線画像記憶部８ｂから読み出された後、所定の信号処理が施されてモニタ９に出力され、モニタ９において、乳房Ｍのステレオ画像が表示される。
【００４２】
また、ユーザから２次元画像表示が要求された際には、コンピュータ８の放射線画像記憶部８ｂに記憶された２つの放射線画像データのうち撮影角度θが０°の放射線画像データが放射線画像記憶部８ｂから読み出された後、所定の信号処理が施されてモニタ９に出力され、モニタ９において、乳房Ｍの２次元画像が表示される。
【００４３】
以上のようにして、ステレオ撮影モードでの撮影、画像表示が行われる。
【００４４】
本発明の第１の実施形態では、図１に模式的に表したように、ステレオ撮影モードにおいて、放射線画像検出器１５の変換層１０１の厚さｄと画素電極１０２ａ、１０２ｂのサイズｐと撮影時の撮影角度θとが次式（１）を満たすような放射線画像検出器１５が用いられ、また、撮影角度θが予め設定されている。  
ｄ・ｔａｎθ＜ｋ・ｐ            （１）
ここで、ｋは、１以下の定数であり、０．５以下であることが好ましい。
【００４５】
このように、本発明の第１の実施形態では、変換層１０１の上面付近で生じた電荷が収集される画素電極上の位置と、変換層１０１の下面付近で生じた電荷が収集される画素電極上の位置との差を、画素電極１つ分のサイズ（ｋ＝１の場合）、あるいは画素電極半分のサイズ（ｋ＝０．５の場合）よりも小さくすることにより、放射線画像検出器１５に対して斜め方向から照射された放射線が放射線検出器１０１内の複数の画素電極１０２ａ、１０２ｂにまたがって検出されることに起因する放射線画像のボケが軽減され、放射線画像の立体視表示の品質が向上する。
【００４６】
具体的には、輻輳角θ’は小さすぎても大きすぎても適切な立体視を行わせることが難しくなるため、４°以上１５°以下に設定されることが望ましい。また、２次元観察には、放射線画像検出器１５の正面から撮影した画像が最も適しているので、２次元観察と立体視表示の両方に用いられる画像を撮影するための撮影角度θは０°とすることが望ましい。したがって、立体視表示のみに用いられる放射線画像の撮影角度θは、４°以上１５°以下に設定されることが望ましいことになる。そこで、本実施形態のステレオ撮影モードでは、例えば、撮影に用いられる放射線画像検出器１５の変換層の厚さｄと画素電極のサイズｐに応じて、上式（１）を満たすように、撮影角度を４°以上１５°以下の範囲で予め設定しておけばよい。あるいは、所定の撮影角度（例えば４°）において、上式（１）を満たすような変換層の厚さｄと画素電極のサイズｐを有する放射線画像検出器１５を、設計・製造して用いたり、既成品から選択して用いたりしてもよい。このように、本実施形態の乳房画像撮影表示システム１は、ステレオ撮影モードにおいて、上式（１）を満たすように、撮影角度θと、放射線画像検出器１５の変換層の厚さｄと画素電極のサイズｐとが最適化されたものである。
【００４７】
直接変換型ＴＦＴ読出方式の放射線検出器の場合、例えば、ＴＦＴスイッチや電荷蓄積容量、電荷収集電極が２次元的に配列されたアクティブマトリックス基板上に、アモルファスセレン等を主成分とする半導体層と上部のバイアス電極が積層された構成となっており、被検体を透過した放射線は、半導体層で電荷に変換され、バイアス電極に印加された電圧により、電荷が電荷収集電極に移動する。この場合、半導体層が上記の変換層１０１に相当し、個々の電荷収集電極が上記の画素電極１０２ａ、１０２ｂに相当する。
【００４８】
また、直接変換型光読出方式の放射線検出器の場合、例えば、被検体から順に、被検体を透過した放射線による画像情報を担持した記録用の電磁波を透過する第１の電極層と、第１の電極層を透過した記録用の電磁波の照射を受けることにより電荷対を発生し導電性を呈する、アモルファスセレン等を主成分とする記録用光導電層と、記録用光導電層において発生した電荷のうち画像情報の記録の際に蓄積される電荷（蓄積電荷）に対しては絶縁体として作用し、且つ該蓄積電荷と逆極性の輸送電荷に対しては導電体として作用する電荷輸送層と、読取光の照射を受けることにより電荷を発生する読取用光導電層と、記録用光導電層において発生した電荷に応じた信号を検出するための検出電極である複数の第１の線状電極および複数の第２の線状電極からなる第２の電極層と、絶縁性および読取光に対する透過性を有する透明絶縁層と、読取光に対して透過性を有する支持体とから構成されている。この場合、記録用光導電層が上記の変換層１０１に相当する。また、各線状電極が画素電極１０２ａ、１０２ｂに相当し、各線状電極の短辺方向の長さが画素電極のサイズに相当する。
【００４９】
また、間接変換型ＴＦＴ読出方式の放射線検出器の場合、例えば、回路基板上にシンチレータ層が積層された構成となっている。シンチレータ層はGOS(Gd2O2S)からなり、被検体を透過した放射線を光に変換する。回路基板は、シンチレータ層で生じた光を受光して電荷に変換するフォトダイオードと、変換された電荷の読出しを行うＴＦＴスイッチとが２次元的に配列されている。この場合、シンチレータ層が上記の変換層１０１に相当する。また、個々のフォトダイオードが上記の画素電極１０２ａ、１０２ｂに相当し、各フォトダイオードの配列間隔が画素電極のサイズに相当する。
【００５０】
乳房を被検体とするマンモグラフィ撮影の場合、高精細な画像が要求されるため、画素サイズは小さい方が好ましい。これを勘案すると、撮影角度θを２〜４°とした場合、上式（１）を満たす放射線画像検出器１５としては、例えば、変換層の厚さが150〜300μm、画素電極のサイズが50〜100μmのものを用いることができる。
【００５１】
本発明の第２の実施形態は、上記実施形態において、放射線画像検出器１５として、電子カセッテ型の着脱可能な交換式のものを用いた形態である。そして、撮影角度θをユーザが任意に設定可能であり、設定された撮影角度θに適合する放射線画像検出器が特定される。
【００５２】
図５は、本発明の第２の実施形態に特有の構成部分を表すブロック図である。図に示したように、コンピュータ８が、撮影角度受付部５１、適合検出器特定部５２、検出器情報テーブル５３、適合検出器情報出力部５４をさらに有する構成となっている。
【００５３】
撮影角度受付部５１は入力部７を用いた撮影角度θの入力を受け付ける。
【００５４】
適合検出器特定部５２は、検出器情報テーブル５３を参照し、入力された撮影角度θに適した放射線画像検出器１５を特定する。
【００５５】
図６は、検出器情報テーブル５３の一例である。図に示したように、検出器情報テーブル５３には、放射線画像検出器１５を識別する検出器識別情報とその放射線画像検出器１５を用いた場合の撮影角度の最大値（最大撮影角度）θmaxとが関連づけられて記憶されている。例えば、放射線検出器Ａは最大撮影角度θmaxが１４°と登録されている。この最大撮影角度θmaxは、各放射線画像検出器１５の変換層の厚さｄと画素電極のサイズｐを前述の式（１）に代入することによって予め算出しておいたものである。
【００５６】
適合検出器特定部５２は、検出器情報テーブル５３に登録されている複数の放射線画像検出器の中から、撮影角度受付部５１で受け付けた撮影角度θが最大撮影角度θmaxよりも小さく、かつ、撮影角度θと最大撮影角度θmaxの差が最小となるような放射線画像検出器を特定し、その識別情報DAを出力する。なお、後者の条件は、画素サイズが小さい（最大撮影角度θmaxが小さい）方が、マンモグラフィ撮影に好ましい放射線画像検出器であるということを前提としている。あるいは、検出器情報テーブル５３に、各放射線画像検出器の画素サイズも関連づけて記憶するようにしておき、前者の条件を満たす放射線画像検出器の中で画素サイズが最小のものを特定するようにしてもよい。
【００５７】
適合検出器情報出力部５４は、撮影角度θでの撮影に適した放射線検出器の情報をモニタ９に表示させる。具体的には、「放射線画像検出器Ｂを装着して下さい」のようなメッセージの表示を行う。あるいは、「入力された撮影角度に適した放射線画像検出器は、変換層の厚さが○○μｍ、画素サイズが○○μｍのものです」のようなメッセージであってもよい。
【００５８】
これにより、ユーザは、所望の撮影角度θに対して、装着すべき適切な放射線画像検出器を容易に知ることが可能になる。
【００５９】
また、本実施形態の変型例として、検出器情報テーブル５３に、検出器識別情報と、その放射線画像検出器の変換層の厚さｄ、画素電極のサイズｐとを関連づけて登録しておき、適合検出器特定部５２が、登録されている各放射線画像検出器の変換層の厚さｄ、画素電極のサイズｐと、入力された撮影角度θとに基づいて、式（１）を満たすかどうかを判定することによって、入力された撮影角度θに適合する放射線検出器DAを特定するようにしてもよい。あるいは、検出器識別情報と、ｋ・ｐ／ｄのような式（１）を変形することによって得られるパラメータ値を関連づけて登録しておいてもよい。
【００６０】
本発明の第３の実施形態は、第２の実施形態と同様に、放射線画像検出器１５として電子カセッテ型の着脱可能な交換式のものを用いた形態である。そして、装着された放射線画像検出器に応じて適切な撮影角度θが設定される。
【００６１】
図７は、本発明の第３の実施形態に特有の構成部分を表すブロック図である。図に示したように、コンピュータ８が、装着検出器特定部５５、適合撮影角度決定部５６をさらに有する構成となっている。
【００６２】
装着検出器特定部５５は、装着された放射線画像検出器１５の変換層の厚さｄ、画素電極のサイズｐの情報（検出器仕様情報DI）を取得する。具体的には、放射線画像検出器１５に検出器仕様情報DIを表すバーコードを付けておき、これを読み取ることによって検出器仕様情報DIを取得すればよい。あるいは、検出器仕様情報DIを記憶したＩＣチップを放射線画像検出器１５に付けておき、これを読み取るようにしてもよい。具体的な読取方法としては、ＲＦＩＤタグのように、ＩＣチップに記憶されている検出器仕様情報を無線で受信する方法等を用いることができる。また、検出器仕様情報DIを入力部７からユーザが入力するようにしてもよい。
【００６３】
適合撮影角度決定部５６は、取得された検出器仕様情報DI、すなわち、変換層の厚さｄ、画素電極のサイズｐを前述の式（１）に代入することによって、その放射線画像検出器１５を用いた場合の撮影角度の最大値（最大撮影角度）θmaxを計算する。さらに、最大撮影角度θmaxより小さい範囲で、立体視に適した撮影角度（適合撮影角度）θAを決定する。例えば、撮影角度θBが立体視に最適であると予めわかっている場合、θmax≧θBの場合は、θA＝θB、θmax＜θBの場合は、θA＝θmaxのように決定する。
【００６４】
制御部８ａは、適合撮影角度決定部５６で決定された適合撮影角度θAを読み込み、アームコントローラ３１に出力する。
【００６５】
これにより、装着された放射線画像検出器１５に適した撮影角度θAが自動的に決定され、その撮影角度での撮影が行われるので、ユーザは撮影角度を手動調整する必要がなくなる。
【００６６】
また、本実施形態の変形例として、検出器識別情報毎に、適合撮影角度θAを関連づけて記憶する参照テーブルを予め用意しておいてもよい。具体的には、検出器識別情報毎に最大撮影角度θmaxを前述の式（１）に基づいて算出し、前述と同様に最適撮影角度θBと比較することによって、適合撮影角度θAを特定し、検出器識別情報と関連づけてテーブルに登録しておけばよい。この場合、装着検出器特定部５５は、変換層の厚さｄや画素電極のサイズｐの代わりに、検出器識別情報を特定する。そして、適合撮影角度決定部５６は、検出器識別情報に基づいて上記参照テーブルにアクセスし、その検出器識別情報と関連づけられた適合撮影角度θAを取得する。
【００６７】
上記実施形態はあくまでも例示であり、上記のすべての説明が本発明の技術的範囲を限定的に解釈するために利用されるべきものではない。また、上記の実施形態におけるシステム構成、ハードウェア構成、処理フロー、モジュール構成、ユーザインターフェースや具体的処理内容等に対して、本発明の趣旨から逸脱しない範囲で様々な改変を行ったものも、本発明の技術的範囲に含まれる。
【００６８】
例えば、本発明の放射線画像撮影装置を乳房画像撮影装置としているが、被検体としては乳房に限らず、たとえば胸部や頭部等を撮影する放射線画像撮影装置を用いることも可能である。
【００６９】
また、上記各実施形態において、撮影角度θを手動調整できる構成とし、調整後の撮影角度θが、放射線検出器の変換層の厚さｄと画素電極のサイズｐを式（１）に代入することによって予め算出しておいた最大撮影角度θmaxを超える場合に警告を行うようにしてもよい。あるいは、第１の実施形態において、放射線画像検出器１５を着脱可能に構成し、装着された放射線画像検出器の変換層の厚さｄと画素電極のサイズｐを前述の式（１）に代入することによって最大撮影角度θmaxを算出する処理部を設け、手動調整後の撮影角度θが、算出された最大撮影角度θmaxを超える場合に警告を行うようにしてもよい。
【００７０】
また、着脱可能な放射線画像検出器を用いる代わりに、液体シンチレータを用いた検出器を用い、撮影角度に応じて、前述の式（１）を満たすように、シンチレータである液体の量、すなわち変換層の厚さを調整するようにしてもよい。
【００７１】
なお、上記各実施形態において、放射線の撮影方向は３以上であってもよい。この場合、上記所定の角度θが０°と異なる撮影方向の少なくとも１つの撮影方向について、前述の式（１）を満たしていればよい。また、上記所定の角度θが０°と異なるすべての撮影方向について、前述の式（１）を満たしていることが好ましい。
【符号の説明】
【００７２】
１     乳房画像撮影表示システム
７     入力部
８     コンピュータ
８ａ   制御部
８ｂ   放射線画像記憶部
８ｃ   画像処理部
９     モニタ
１０   乳房画像撮影装置
１１   基台
１２   回転軸
１３   アーム部
１４   撮影台
１５   放射線画像検出器
１６   放射線照射部
１７   放射線源
１８   圧迫板
３１   アームコントローラ
３２   放射線源コントローラ
３３   検出器コントローラ
３４   圧迫板コントローラ
５１   撮影角度受付部
５２   適合検出器特定部
５３   検出器情報テーブル
５４   適合検出器情報出力部
５５   装着検出器特定部
５６   適合撮影角度決定部
１０１ 変換層
１０２ａ，１０２ｂ    画素電極
【図１】
0005506726.tif 000002
【図２】
0005506726.tif 000003
【図３】
0005506726.tif 000004
【図４】
0005506726.tif 000005
【図５】
0005506726.tif 000006
【図６】
0005506726.tif 000007
【図７】
0005506726.tif 000008
【図８】
0005506726.tif 000009